(57)【特許請求の範囲】
【請求項１】
ヘッドボックス（１０）から吊り下げられる一対の垂直コード（１２ａ、１２ｂ）と、一対の垂直コード間を連結する多数の中段コード（１４）と、により梯子状に構成されるラダーコード（１６）が、各中段コード上にそれぞれスラット（１８）を載置することにより多数のスラットを整列状態に支持すると共にスラットの傾斜角度を可変とした横型ブラインドにおいて、
ラダーコードの前後方向における少なくとも一方側の垂直コードの複数個所にそれぞれピッチ調整具（２０）が取付けられ、該ピッチ調整具のそれぞれに対して垂直コードが少なくとも一周以上周回されることにより中段コードの高さ位置が前後で異なるようにし、各ピッチ調整具の下方に位置するスラット群それぞれの傾斜角度が、下方へ行くに従い段階的に大きくなるようにし、
ピッチ調整具は、内部空間（２０ａ）に垂直コードが挿通可能なリングを有し、垂直コードが周回されていない状態において、多数の中段コードのうちのいずれかの中段コード上で前記内部空間に挿通された垂直コードに吊り下げられた状態になることを特徴とする横型ブラインド。
【請求項２】
ピッチ調整具は、前記リングの一部に垂直コードが通過可能なスリット（２０ｃ）が形成されており、該スリットに垂直コードを通過させることによりピッチ調整具が垂直コードに取付けられることを特徴とする請求項１記載の横型ブラインド。
【請求項３】
垂直コードのうちの上下に隣り合う中段コード間に位置する垂直コードの部分のみがピッチ調整具に周回されることを特徴とする請求項１または２記載の横型ブラインド。
【発明の詳細な説明】
【技術分野】
【０００１】
本発明は、上部から下部にかけてスラットの傾斜角度を変化させることができる横型ブラインドに関する。
【背景技術】
【０００２】
かかる従来の横型ブラインドとしては、特許文献１、２及び３に記載されるものが知られている。
【０００３】
特許文献１に示されるものは、ラダーのスラット幅方向前側及び後側の紐のうち、一方の紐のスラット支持ピッチを一定とし、他方の紐のスラット支持ピッチを順次変化させることで、スラットの傾斜角度を設定し、スラットに反射した太陽光が、上部のスラットほど室奥の天井に向かい、下部のスラットほど窓際の天井に向かうようにしたものである。
【０００４】
また、特許文献２に示されるものは、円形の本体の中央に、直径方向に溝を持つ円筒形部を形成し、円筒形部の溝の上下で本体に突起を形成したつまみ部材を用いて垂直コードをつまみ、互いに隣り合うスラットの前側縁または後側縁を密接させることにより、つまみ部材より上のスラットを開状態、つまみ部材より下のスラットを閉状態またはその逆の状態としたものである。具体的には、互いに連続して隣り合う３段のスラットのうち中央のスラットの中段コードがつまみ部材の上の突起と円筒形部との間に位置し、中央のスラットとこれの下方に隣り合うスラットとの間に位置する垂直コードの部分につまみ部材の下の突起が位置するようにつまみ部材を配置して、溝内に垂直コードを挿入し、１８０度回転させて、円筒状部の外周に垂直コードを巻き付け、上下の突起に垂直コードをそれぞれ係止させることにより、中央のスラットとこれの下方に隣り合うスラットの前側縁または後側縁を密接させている。
【０００５】
さらに特許文献３に示されるものは、下段に向かうに従って傾斜角度が大きくなるように、また角度を調整可能にブレードを構成し、天井全面にわたって広く反射光がゆき渡るような構造としたものである。
【先行技術文献】
【特許文献】
【０００６】
【特許文献１】特開平１０−３１７８５０号公報
【特許文献２】実開昭５５−１１６１９４号公報
【特許文献３】特開昭６２−１１２８８９号公報
【発明の概要】
【発明が解決しようとする課題】
【０００７】
しかしながら、特許文献１に示されるものでは、ラダーのスラット幅方向前側及び後側の紐のうち、一方の紐のスラット支持ピッチを一定とし、他方の紐のスラット支持ピッチを順次変化させることで、スラットの傾斜角度を設定するようになっているため、専用のラダーコードが必要になるという問題がある。
【０００８】
また、特許文献２に示されるものでは、つまみ部材は互いに連続して隣り合う３段のスラット間にそれぞれ位置する上下の垂直コード間にわたって取付けられると共に、つまみ部材を１８０°回転させて、円筒状部の円周に垂直コードを巻き付けて隣り合う中段コードの間隔を狭くする構成であるため、スラットの傾斜角度を細かく変化させるには限界がある。また、通常の横型ブラインドとして使用する場合には、つまみ部材を完全にラダーコードから離脱させなければならず、つまみ部材の管理も必要になるという問題がある。さらに、つまみ部材の突起に垂直コードを係止させる構造であるため、スラットが下降してラダーコードにテンションがかかっていれば問題ないが、スラットを畳み上げてラダーコードにテンションがかからなくなると、つまみ部材が外れる可能性があるという問題もある。
【０００９】
また、特許文献３に示されるものでは、ブレードの角度を調整可能にする具体的な構成が不明である。
【００１０】
本発明はかかる課題に鑑みなされたもので、上部から下部にかけてスラットの傾斜角度を任意に且つ簡単に変更することができる横型ブラインドを提供することをその目的とする。
【課題を解決するための手段】
【００１１】
前述した目的を達成するために、本発明の一態様は、ヘッドボックスから吊り下げられる一対の垂直コードと、一対の垂直コード間を連結する多数の中段コードと、により梯子状に構成されるラダーコードが、各中段コード上にそれぞれスラットを載置することにより多数のスラットを整列状態に支持すると共にスラットの傾斜角度を可変とした横型ブラインドにおいて、
ラダーコードの前後方向における少なくとも一方側の垂直コードの少なくとも一か所以上にピッチ調整具が取付けられ、該ピッチ調整具に対して垂直コードが少なくとも一周以上周回されることにより中段コードの高さ位置が前後で異なるようにし、ピッチ調整具よりも上方に位置するスラット群と下方に位置するスラット群との傾斜角度が互いに異なるようにしたことを特徴とする。
【００１２】
さらに、本発明の一態様は、ピッチ調整具が、内部空間に垂直コードが挿通可能なリングを有し、リングの一部に垂直コードが通過可能なスリットが形成されており、該スリットに垂直コードを通過させることによりピッチ調整具が垂直コードに取付けられることを特徴とする。
【００１３】
さらに、本発明の一態様は、垂直コードのうちの上下に隣り合う中段コード間に位置する垂直コードの部分のみがピッチ調整具に周回されることを特徴とする。
【発明の効果】
【００１４】
本発明によれば、ピッチ調整具に垂直コードを周回させることにより中段コードの前後の高さ位置を異なるようにすることができるため、スラットの傾斜角度を簡単に変化させることができる。このため、専用のラダーコードを用意することなく、通常の横型ブラインドにピッチ調整具を取付けるだけで、上部から下部にかけてスラットの傾斜角度を任意に変化させることができる。
【図面の簡単な説明】
【００１５】
【図１】本発明に係る横型ブラインドのピッチ調整具を前後方向における一方の垂直コードに取付けた状態を示す側面図であり、（ａ）はスラットが水平な状態であり、（ｂ）はスラットが傾斜した状態である。
【図２】ピッチ調整具を垂直コードに取付けた状態を示す平面図である。
【図３】ピッチ調整具に垂直コードを１周巻き付けた状態を示す平面図である。
【図４】ピッチ調整具に垂直コードを１周巻き付けた状態を示す斜視図である。
【図５】上下に隣り合う中段コードの間に位置する１つおきの垂直コード部分にピッチ調整具をそれぞれ取付け、該ピッチ調整具に垂直コードを１周巻付けた状態を示す側面図である。
【図６】ピッチ調整具に垂直コードを２周巻き付けた状態を示す斜視図である。
【図７】前後方向における一方の垂直コードの一か所にピッチ調整具を取付け、該ピッチ調整具に垂直コードを複数周巻き付け、スラットの傾斜角度を上下２段で切替えた状態を示す側面図である。
【図８】前後方向における一方の垂直コードの一か所にピッチ調整具を取付けると共に、該ピッチ調整具が取付けられた垂直コード部分の下方に位置する中段を切除し、ピッチ調整具に垂直コードを複数周巻き付け、スラットの傾斜角度を上下２段で切替えた状態を示す側面図である。
【図９】（ａ）〜（ｄ）はピッチ調整具を用いた横型ブラインドの様々な例を示す側面図である。
【図１０】昼光利用時のイメージ図である。
【発明を実施するための形態】
【００１６】
以下、図面を用いて本発明の実施形態を説明する。
【００１７】
図１ないし図４、及び図９に示すように、本発明に係る横型ブラインドは、ヘッドボックス１０と、ヘッドボックス１０から吊り下げられる前後の垂直コード１２ａ、１２ｂ、及び前後の垂直コード１２間を連結する多数の中段コード１４により梯子状に構成されるラダーコード１６と、ラダーコード１６の各中段コード１４上にそれぞれ載置されることにより整列状態に支持されると共に前後の垂直コード１２ａ、１２ｂを上下に相対変位させることで傾斜角度を可変とされた多数のスラット１８と、ラダーコード１６の下端に設けられるボトムレール２２と、ヘッドボックス１０から垂下し、下端がボトムレール２２に連結されて、スラット１８を昇降可能な昇降コード２４と、を備え、さらにラダーコード１６の前後方向における一方側の垂直コード１２ａにピッチ調整具２０を取付けたものである。
【００１８】
ピッチ調整具２０は、上下に隣り合う中段コード１４の間に位置する垂直コード部分に取付けられるものであり、図１に示す例の場合、ピッチ調整具２０はラダーコード１６の前後方向における一方側の垂直コード１２ａの１つおきの垂直コード部分にそれぞれ取付けられる。
【００１９】
ピッチ調整具２０は、例えば合成樹脂からなり、図２に示すようにリング形状をしており、リングの一部に内部空間２０ａから外周部２０ｂまで径方向に貫通するスリット２０ｃが形成されている。ピッチ調整具２０のスリット２０ｃ周辺の部分を弾性変形させてスリット２０ｃの幅を広げることにより、スリット２０ｃに垂直コード１２ａを通過させることが可能である。スリット２０ｃに垂直コード１２ａを通過させてリングの内部空間２０ａ内に垂直コード１２ａが配置されることにより、ピッチ調整具２０が垂直コード１２ａに取付けられる。垂直コード１２ａがスリット２０ｃを通過した後、ピッチ調整具２０は変形前の形状に戻るため、垂直コード１２ａが再びスリット２０ｃを通過して意図せず外れるということはない。なお、ピッチ調整具２０の材質は、合成樹脂に限らず金属などの弾性変形可能な材質でもよい。
【００２０】
ピッチ調整具２０は、垂直コード１２ａに取付けられた直後や上下に隣り合う中段コード１４の間隔を調整するために使用されない場合は、図１（ａ）及び（ｂ）のように垂直コード１２ａにただ吊り下げられた状態となり、（ｂ）に示すようにスラット１８を傾斜させた場合でも、邪魔になることはない。
【００２１】
一方、ピッチ調整具２０を用いて、上下に隣り合う中段コード１４の間隔を調整する場合は、図３ないし図５に示すように、ピッチ調整具２０が取付けられている垂直コード部分において、垂直コード１２ａを内部空間２０ａから外周部２０ｂを回って再び内部空間２０ａに戻るようにピッチ調整具２０に巻き付ける。この例は、ピッチ調整具２０に垂直コード１２ａを一周周回させたものである。ピッチ調整具２０が取付けられていない垂直コード１２ａ部分は、垂直コード１２ｂと同じピッチｄである。しかし、ピッチ調整具２０に一周周回させた垂直コード１２ａ部分のピッチは、ピッチ調整具２０に一周周回させた垂直コード１２ａの長さｈ分だけ短くなり、ｄ−ｈになる。このため、ピッチ調整具２０に垂直コード１２ａを一周周回させた垂直コード部分よりも下方の中段コード１４は、垂直コード１２ａ側端部の高さ位置が垂直コード１２ｂ側端部の高さ位置よりも高くなる。横型ブラインド全体としては、図５に示すように、ピッチ調整具２０は垂直コード１２ａの上下方向複数個所に取付けられており、ピッチ調整具２０が取付けられているそれぞれの垂直コード１２ａ部分のピッチがｄ−ｈとなるため、横型ブラインドの上部から下部へ行くほどスラット１８の傾斜が大きくなる。
【００２２】
また、図６に示すように、ピッチ調整具２０に垂直コード１２ａを二周周回させると、一周周回させた場合と比べてピッチがより短くなるので、二周周回させた垂直コード部分より下方の中段コード１４の垂直コード１２ａ側端部の高さ位置が垂直コード１２ｂ側端部の高さ位置よりも一周周回させた場合と比べてさらに高くなる。このため、スラット１８の傾斜がさらに大きくなる。
【００２３】
図７に示すものは、ピッチ調整具２０に垂直コード１２ａを多数周回させた例であるが、これに示すように、周回させる回数に応じてピッチが短くなり、周回させる垂直コード部分がなくなると、上下に隣り合う中段コード１４のうち、垂直コード１２ａ側の端部同士が最も接近した状態となる。この状態において、スラット１８は最大に傾斜することになる。こうして、ピッチ調整具２０に対する垂直コード１２ａの周回数によって中段コード１４の前後の高さ位置が変更されるため、スラット１８の角度を任意に調整することができる。
【００２４】
スラット１８をさらに傾斜させる場合は、図８に示すように、中段コード１４を１本切除し、切除した中段コード１４の上方に隣り合う中段コード１４と下方に隣り合う中段コード１４の間にある垂直コード１２ａを周回させる部分がなくなるまでピッチ調整具２０に周回させる。これにより、切除した中段コード１４の上方に隣り合う中段コード１４と下方に隣り合う中段コード１４の垂直コード１２ａ側端部が最も接近した状態となり、スラット１８が他方の垂直コード１２ｂの垂直コード部分の約２ピッチ分傾斜することになる。
【００２５】
このように、専用のラダーコードを用意することなく、通常の横型ブラインドにピッチ調整具を取付けるだけで、上部から下部にかけてスラットの傾斜角度を変化させることができる。
【００２６】
なお、ピッチ調整具２０は、前後の垂直コード１２ａ、１２ｂのうちのどちらに取付けてもよい。
【００２７】
図９（ａ）〜（ｄ）に、ピッチ調整具２０を用いて構成した横型ブラインドの様々な構成例を示す。
【００２８】
図９（ａ）は、横型ブラインド全体において、スラット１８の傾斜角度を４段階に切替えるものであり、ピッチ調整具２０を３つ用いて構成される。具体的な構成は、一方の垂直コード１２ａの複数段おきの垂直コード部分に、ピッチ調整具２０をそれぞれ取付けて垂直コード１２ａ側での上下に隣り合う中段コード１４の間隔を調整する。これにより、横型ブラインド全体で４段階のスラット１８の傾斜角度の切替が行われる。この構成においては、ピッチ調整具２０で区切られた４つのスラット１８群のうち最上部のスラット１８群は水平であり、下部のスラット１８群へ行くほどだんだんと傾斜角度が大きくなるようにできる。ラダーコード１６の前後の垂直コード１２ａ、１２ｂを上下に相対変位させれば、上部のスラット１８群の傾斜角度が大きく、下部のスラット１８群へ行くほどだんだんと傾斜角度が小さくなる構成をとることもできる。
【００２９】
このように構成した横型ブラインドを、図１０に示すように、窓枠２６に設置すると、窓２８を通過して室内３０に入射した太陽光がスラット１８に反射し、上部のスラット１８群に反射した太陽光ほど室奥の天井３２に向かい、下部のスラット１８群に反射した太陽光ほど窓際の天井３２に向かうようになる。これにより、居住者に直接横型ブラインドからの反射光が当たらない上、その反射光が天井に当たった上で室内を照らす間接光となるため、眩しくなく、しかも柔らかい光で室内を窓際から室奥まで均一に照らすことができる。こうして、視環境を損なうことなく自然光を取り込むことができ、昼光利用が可能となって事務所ビル等の消費エネルギの削減に寄与することができる。
【００３０】
図９（ｂ）は、横型ブラインド全体において、スラット１８の傾斜角度を２段階に切替えるものであり、ピッチ調整具２０を１つ用いて構成される。具体的な構成は、一方の垂直コード１２ａの上下方向中央に位置する垂直コード部分にピッチ調整具２０を取付け、図７に示すように、ピッチ調整具２０に垂直コード１２ａを周回させ、横型ブラインド全体で２段階のスラットの傾斜角度の切替えを行う。この構成においては、ピッチ調整具２０で区切られた２つのスラット１８群のうち上部のスラット１８群は水平であり、下部のスラット１８群は傾斜するようにできる。ラダーコード１６の前後の垂直コード１２ａ、１２ｂを上下に相対変位させれば、上部のスラット１８が傾斜し、下部のスラット１８が水平になる構成をとることもできる。
【００３１】
図９（ｃ）も、横型ブラインド全体において、スラット１８の傾斜角度を２段階に切替えるものであるが、スラットの傾斜角度を図９（ｂ）に示すものよりも大きくするために、ピッチ調整具２０を１つ用いると共に、図８に示すように、ピッチ調整具２０を取付ける部分の中段コード１４を１段切除することにより構成される。具体的な構成は、一方の垂直コード１２ａの上下方向中央に位置する垂直コード部分にピッチ調整具２０を取付け、図８に示すように、この部分の中段コード１４を一段切除し、ピッチ調整具２０に垂直コード１２ａを周回させ、横型ブラインド全体で２段階のスラットの傾斜角度の切替えを行う。この構成においては、ピッチ調整具２０で区切られた２つのスラット１８群のうち上部のスラット１８群は水平であり、下部のスラット１８群は中段コード２段分傾斜するようにできる。この横型ブラインドにおいても、ラダーコード１６の前後の垂直コード１２ａ、１２ｂを上下に相対変位させれば、上部のスラット１８が傾斜し、下部のスラット１８が水平になる構成をとることもできる。
【００３２】
図９（ｄ）は、横型ブラインドの上下方向中央部分のみの傾斜を切替えるものであり、ピッチ調整具２０を２つ用いて構成される。具体的な構成は、スラット列を上下方向に３つの群に分け、中央部分に位置するスラット１８群の上端において、前後方向における一方の垂直コード１２ａにピッチ調整具２０を取付け、中央に位置するスラット１８群の下端において、前後方向における他方の垂直コード１２ｂにピッチ調整具２０を取付けることにより、上部及び下部に位置するスラット１８群は同じ角度とし、中央に位置するスラット１８群のみ別の角度とするものである。この図の場合、上部及び下部のスラット１８群は水平で、中央部分のスラット１８群は傾斜した構成とされる。このようにすることにより、例えば、デスクワークに必要な高さ位置の部分だけを遮蔽状態とし、他の高さ位置の部分は採光を行うという使い方が可能となる。また、この横型ブラインドにおいても、ラダーコード１６の前後の垂直コード１２ａ、１２ｂを上下に相対変位させれば、上部及び下部のスラット群１８が傾斜し、中央部分のスラット１８群が水平になる構成をとることができる。
【００３３】
なお、上記の実施形態は例示であり、使用するピッチ調整具２０の数や取付ける位置を種々変更することにより、さまざまな形態の横型ブラインドを構成することができる。
【００３４】
また、ピッチ調整具２０は、垂直コード１２ａにリングのスリットを通過させて取付けるだけであるため、例えば、上下方向におけるスラットの傾斜角度に変化をつける必要がない場合には、ピッチ調整具２０に垂直コード１２ａ、１２ｂを巻き付けずに、ただ吊り下げておくだけにすることができる。このため、ピッチ調整具２０を管理する必要がない。
【００３５】
また、ピッチ調整具２０を付けたままであっても、スラット１８の昇降に支障をきたすことはない。即ち、垂直コード１２ａ、１２ｂのうちの上下に隣り合う中段コード１４，１４間に位置する垂直コード部分のみがピッチ調整具２０に周回される構成となっており、且つ、ピッチ調整具２０はリング状の内部空間に垂直コード１２ａ、１２ｂが挿通することにより垂直コード１２ａ、１２ｂに取付けられているため、ラダーコードのテンションに関係なく脱落することはないので、昇降時にピッチ調整具２０が落下することが防止される。
【符号の説明】
【００３６】
１０  ヘッドボックス
１２ａ、１２ｂ  垂直コード
１４  中段コード
１６  ラダーコード
１８  スラット
２０  ピッチ調整具
２０ａ  内部空間
２０ｃ  スリット
【図１】
0005991813.tif 000002
【図２】
0005991813.tif 000003
【図３】
0005991813.tif 000004
【図４】
0005991813.tif 000005
【図５】
0005991813.tif 000006
【図６】
0005991813.tif 000007
【図７】
0005991813.tif 000008
【図８】
0005991813.tif 000009
【図９】
0005991813.tif 000010
【図１０】
0005991813.tif 000011